(57)【要約】      （修正有）【課題】室内外における平坦な床面における通常の使用を良好に行え、段差や階段で使用する昇降装置への設置が容易かつ確実に行える椅子を提供する。【解決手段】座面と、背板と、座面及び背板を保持すると共に４本の脚部を備えるフレームとを備え、段差を昇降する昇降装置に着脱自在に配置される椅子であって、フレームは、パイプ部材を湾曲形成した前側フレーム４０と後側フレーム５０を接合して形成され、前側フレームと後側フレームには座面が接合され、後側フレームには背板が接合され、４本の脚部の下端部には移動用のキャスター装置が配置され、座面の下面の左右両側に昇降装置に配置された案内部材に案内され設置箇所の位置合わせを行うガイドローラ７０を備え、前側フレームには、前方に回転移動して水平状態となる踏板部６４が軸支され、踏板部には、踏板用キャスター装置６５が配置され、踏板部は上方に回動させて収納可能とした。【選択図】図１
0003231125.tif 000002
【実用新案登録請求の範囲】
【請求項１】
座面と、背板と、前記座面及び前記背板を保持すると共に４本の脚部を備えるフレームとを備え、段差を昇降する昇降装置に着脱自在に配置される椅子であって、
前記フレームは、それぞれパイプ部材を湾曲して形成した前側フレーム及び後側フレームを接合して形成され、
前記前側フレーム及び前記後側フレームには前記座面が接合され、
前記前側フレームには前記背板が接合され、
前記４本の脚部の下端部には、移動用のキャスター装置が配置され、
前記座面の下面の左右両側に前記昇降装置に配置された案内部材に案内され設置箇所の位置合わせを行うためのガイドローラを備え、
前記前側フレームには前方に向けて回転移動して水平状態となる踏板部が軸支され、前記踏板部には踏板用キャスター装置が配置されており、前記踏板部は上方に回動させて収納可能としたことを特徴とする椅子。
【請求項２】
前記後側フレームの前記座面が設置される箇所、及び前記前側フレームの前記座面の上側に位置する箇所は前側に向けて湾曲形成されて、前記昇降装置に配置された安全ベルトを装着操作するための空間部が形成されていることを特徴とする請求項１に記載の椅子。
【請求項３】
前記後側フレームの上側部には介助者が把持できる他、前記昇降装置に固定可能であるフレームバーが形成されていることを特徴とする請求項１に記載の椅子。
【考案の詳細な説明】
【技術分野】
【０００１】
本考案は、椅子に関する。
【背景技術】
【０００２】
従来、椅子として接地部に移動用の車輪が着けられたものが提案されている。これらは車椅子として使用されるものが多い。
【０００３】
特許文献１には、一対の垂直平板状の側面フレームと、両側面フレームの後方下部に横方向の車軸を介して取り付けられた一対の車輪と、両側面フレームの前方下部に取り付けられた一対のキャスターと、両側面フレームの上端を連結するように取り付けられた着座部と、着座部の後方上側に配置された背当て部と、背当て部の両側から前方に延びる一対の肘掛け部と、車輪に圧接される制動手段と、を有し、背当て部は、両側面フレームの後部から上方に延びる支持部材に取り付けられていて、肘掛け部は、それぞれ対応する支持部材に支持されているものが記載されている。
【０００４】
また、介護用移動用椅子の脚部として、特許文献２には、幅広のコの字形の面体の周りを縁取るパイプ状の形状をした外枠体と、同様な形状で外枠体に挿入して接合した内枠体からなり、２本のパイプを上下に接合してあることと、垂直部では２本のパイプを離した構造にすることにより、荷重や曲げモーメントに対して非常に強くなっており、介護用移動用椅子に使用すれば、被介護者の移動が安全で容易であることを特徴とするものが記載されている。
【先行技術文献】
【特許文献】
【０００５】
【特許文献１】国際公開ＷＯ２０１５／０９７８４６号公報
【特許文献２】特開２０１７−１７００８６号公報
【考案の概要】
【考案が解決しようとする課題】
【０００６】
このような椅子は平地での使用を前提としており、着座した状態での椅子をそのまま段差や階段で使用するには、補助者が着座状態の椅子を人力で昇降させるか、着座状態の椅子を昇降装置に設置して昇降させる必要がある。
【０００７】
着座状態での椅子は大きな重量であるため、昇降装置を使用することがある。ここで、昇降装置を使用することを前提とする場合、昇降時に特別な椅子に乗り移ることは面倒であるため、平地で通常に使用するとき椅子として使用し、昇降時に椅子を昇降装置に設置して使用することが現実的である。
【０００８】
しかしながら、特許文献１、特許文献２を含む従来の椅子は、平坦な床面、路面での移動を前提としており、段差や階段での昇降を行う昇降装置への設置について考慮されていない。
【０００９】
本考案は上記課題に鑑みてなされたものであり、室内外における平坦な床面における通常の使用を良好に行え、更に、段差や階段で使用する昇降装置への設置が容易かつ確実に行える椅子を提供することを課題とする。
【課題を解決するための手段】
【００１０】
前記課題を解決するため、請求項１に記載の考案は、座面と、背板と、前記座面及び前記背板を保持すると共に４本の脚部を備えるフレームとを備え、段差を昇降する昇降装置に着脱自在に配置される椅子であって、前記フレームは、それぞれパイプ部材を湾曲して形成した前側フレーム及び後側フレームを接合して形成され、前記前側フレーム及び前記後側フレームには前記座面が接合され、前記前側フレームには前記背板が接合され、前記４本の脚部の下端部には、移動用のキャスター装置が配置され、前記座面の下面の左右両側に前記昇降装置に配置された案内部材に案内され設置箇所の位置合わせを行うためのガイドローラを備え、前記前側フレームには前方に向けて回転移動して水平状態となる踏板部が軸支され、前記踏板部には踏板用キャスター装置が配置されており、前記踏板部は上方に回動させて収納可能としたことを特徴とする椅子である。
【００１１】
同じく、請求項２に記載の考案は、前記後側フレームの前記座面が設置される箇所、及び前記前側フレームの前記座面の上側に位置する箇所は前側に向けて湾曲形成されて、前記昇降装置に配置された安全ベルトを装着操作するための空間部が形成されていることを特徴とする。
【００１２】
同じく、請求項３に記載の考案は、前記後側フレームの上側部には介助者が把持できる他、前記昇降装置に固定可能であるフレームバーが形成されていることを特徴とする。
【考案の効果】
【００１３】
本考案に係る椅子によれば、室内外における平坦な床面における通常の使用を良好に行え、更に、段差や階段で使用する昇降装置への設置が容易かつ確実に行える。
【００１４】
即ち、請求項１に記載の椅子によれば、椅子の前側フレームと後側フレームは湾曲形成されたパイプ部材で構成されており、これらに座面と背板が配置されているため全体として軽量である。また、４本の脚部の下端部にはそれぞれキャスター装置が配置されているので、着座状態の椅子を床面で容易に移動できる。更に、前側フレームに前方に向けて回転移動して水平状態となる踏板部が軸支され、前記踏板部には、踏板用キャスター装置が配置されており、前記踏板部は上方に回動させて収納可能としているので、踏板部を使用しない状態では収納状態として椅子の占有床面積を小さくでき、また、踏板部は設置用キャスター装置で支持されるので、踏板部の使用時に踏板部を安定した状態に保持でき、仮に踏板部に着座者が立ったとしても椅子の姿勢を安定した状態に保つことができる。
【００１５】
また、請求項１に記載の椅子によれば、座面の下面の左右両側に前記昇降装置の案内部材に案内され設置箇所の位置合わせを行うためのガイドローラを備えるので、椅子を昇降装置接地するに際して椅子の昇降装置への位置合わせが簡単にできる。
【００１６】
請求項２に記載の椅子によれば、後側フレームの座面が設置される箇所、及び前側フレームの前記座面の上側に位置する箇所は前側に向けて湾曲形成されて昇降装置の前記安全ベルトを装着操作するための空間部が形成されているので、椅子を昇降装置に取り付けた状体で昇降装置の安全ベルトを着座者に容易に着脱できる。
【００１７】
請求項３に記載の椅子によれば、前記後側フレームの上側には介助者が把持できる他、昇降装置に固定可能であるフレームバーが配置されているので、椅子を介助者が確実に保持することができると共に、椅子を昇降装置に確実に固定できる。
【図面の簡単な説明】
【００１８】
【図１】本考案の実施形態に係る椅子の斜視図である。
【図２】同椅子の他の方向からの斜視図である。
【図３】同椅子の側面図である。
【図４】同椅子の図３中のＡ−Ａ線からの底面図である。
【図５】同椅子を昇降装置に配置した状態を示す斜視図である。
【考案を実施するための形態】
【００１９】
以下本考案の実施形態に係る椅子について説明する。本実施形態に係る椅子は、椅子に被介護者等が着座した状態で床面等の平地上を介助者の操作により容易に移動できる他、階段や段差においては、後述する昇降装置に設置して、介助者が昇降装置を操作することにより簡単に昇降できる。
【００２０】
図１は本考案の実施形態に係る椅子の斜視図、図２は同椅子の他の方向からの斜視図、図３は同椅子の側面図、図４は同椅子の図３中のＡ−Ａ線からの底面図である。
【００２１】
椅子１０は、座面２０と、背板３０と、座面２０及び背板３０を保持するフレームを構成する前側フレーム４０及び後側フレーム５０と、踏板部６０と、ガイドローラ７０とを備える。
【００２２】
座面２０は、平板状の部材であり、前側フレーム４０と後側フレーム５０とに保持されている。また、座面２０は、板状の芯材を合成皮革等で被覆し、内部にスポンジ等の緩衝材が配置することで構成されている。本実施形態では座面２０は前方が後方より細く形成されている。これにより、着座し易いようにしている。
【００２３】
背板３０は、後側にやや湾曲した板状の部材であり、後側フレーム５０に保持されている。また、背板３０は、板状の芯材を合成皮革等で被覆し、内部にスポンジ等の緩衝材が配置することで構成されている。
【００２４】
前側フレーム４０は、金属管材を湾曲形成して構成されている。前側フレーム４０には、湾曲されることにより、図１〜図３に示すように、１本のフレームバー４１、左右２本の背板保持部４２、左右２本の腕受部４３、左右２本の湾曲部４４、左右２本の垂下部４５、接合湾曲部４６、左右２本の前側脚部４７、前左右２本の前側脚下端部４８が形成される。
【００２５】
フレームバー４１は、水平方向に配置され、介護者が把持して椅子１０を移動するのに使用すると共に、後に説明する昇降装置１００の固定部材である鉤状部材１１６が引っかけられて固定される。
【００２６】
左右の背板保持部４２、４２は、フレームバー４１の左右両端から下方に延設される。左右の背板保持部４２、４２の間に背板３０が固定される。
【００２７】
左右の腕受部４３、４３は、各背板保持部４２、４２の下端から略水平方向に延設される。左右の背板保持部４２、４２には着座者が腕を掛けることができる。
【００２８】
左右の湾曲部４４は、各腕受部４３、４３の前側端から下側後方に向けて湾曲形成される。左右の垂下部４５、４５は各湾曲部４４、４４の下端から下側後方に向け延設される。垂下部４５、４５の間には座面２０の１箇所が固定される。
【００２９】
左右の腕受部４３、４３、左右の湾曲部４４、４４、左右の垂下部４５、４５、及び座面２０の間にはそれぞれ大きな空間部８０、８０が形成されている。このため、椅子１０を昇降装置１００に取り付けた状態で、昇降装置１００の安全ベルト１１７を着座者の着用し易くなる。
【００３０】
左右の接合湾曲部４６、４６は、両垂下部４５、４５の下端から前方に向けて湾曲形成される。左右の接合湾曲部４６、４６と、後述する後側フレーム５０の左右の接合湾曲部５３、５３とがそれぞれ溶接やねじ止め等で接合され、前側フレーム４０と後側フレーム５０とが結合された状態となり、フレームを構成する。
【００３１】
左右の前側脚部４７は、両接合湾曲部４６、４６の下端部から下方前方に向け延設される。左右の前側脚下端部４８、４８の下端にはそれぞれ前側脚部４７、４７が垂下形成される。更に、左右の両前側脚部４７、４７の下端には、左右の前側キャスター装置４９、４９が配置される。これにより、着座状態での椅子１０の平地における移動が容易になる。
【００３２】
後側フレーム５０は、金属管材を湾曲形成して構成される。後側フレーム５０は、図１〜図３に示すように、１本の水平部５１、左右２本の座面保持部５２、左右の２本の接合湾曲部５３、左右２本の後側脚部５４、左右２本の後側脚下端部５５を備える。
【００３３】
水平部５１は水平方向に配置される。座面保持部５２は、水平部５１の左右両端から水平前方に向け延設される。水平部５１と座面保持部５２により、座面２０の後側縁部が固定される。
【００３４】
左右の接合湾曲部５３、５３は、座面保持部５２の前端から後方に向けて湾曲形成される。各接合湾曲部５３、５３は、前述のように前側フレーム４０の各接合湾曲部４６、４６と接合されフレームを構成する。
【００３５】
左右の前側脚部４７、４７は、各接合湾曲部４６、４６の下端から前方下方に向けて延設される。左右の前側脚部４７、４７の下端にはそれぞれ前側脚下端部４８が垂下形成される。更に、左右の前側脚下端部４８、４８の下端には、左右の後側キャスター装置５６、５６が配置される。これにより、着座状態での椅子１０の平地における移動が容易になる。
【００３６】
踏板部６０は、金属板材、棒材等で構成される。踏板部６０は、図１〜図３に示すように、前側フレーム４０の左右の前側脚部４７、４７、前側脚下端部４８、４８に固定される。踏板部６０は、上方に跳ね上げられて前側脚部４７、４７に沿わせて配置する収納状態（図３に破線で示した）と、下方に下げられて床面Ｆと水平となる使用状態（同図に実線で示した）とにその接地状態を変更できる。
【００３７】
踏板部６０は、左右のヒンジ部６１、６１、左右の踏板保持部６２、６２、左右の操作ハンドル６３、６３、一枚の踏板６４、左右の踏板用キャスター装置６５、６５、及び左右のステー部材６６、６６から構成される。
【００３８】
左右のヒンジ部６１、６１は、踏板保持部６２、６２を回動可能に前側フレーム４０、４０の前側脚部４７、４７、前側脚下端部４８、４８付近に固定する。
【００３９】
左右の踏板保持部６２、６２は、両者の間に踏板６４を保持する。踏板保持部６２、６２の先端には、操作ハンドル６３、６３が配置されている。踏板部６０を収納状態から使用状態、使用状態から収納状態にするには、操作者が操作ハンドルを把持してヒンジ部６１、６１を中心に踏板部６０を回動する。
【００４０】
左右の踏板用キャスター装置６５、６５は、左右の操作ハンドル６３、６３にステー部材６６、６６により固定されている。このステー部材６６、６６の寸法は、使用状態において、踏板６４が水平となる程度の寸法とする。
【００４１】
図２〜図４に示すように、背板３０の後側左右端部にはそれぞれガイドローラ７０、７０が配置されている。このガイドローラ７０、７０は、椅子１０を後述する昇降装置１００に配置するとき、案内部材１１５で案内され、椅子１０の昇降装置への設置を容易にする。
【００４２】
左右のガイドローラ７０は、それぞれローラ７１とローラ取付部材７２とから構成されている。ローラ取付部材７２は、座面２０の下面側に固定され、ローラ７１は、ローラ取付部材７２に回転自在に保持される。
【００４３】
なお、図４に示すように、背板３０の下側面には、座面２０の補強部材９０が配置されている。補強部材９０は、横部材９１、この横部材９１に接合されたＵ字部材９２を備える。
【００４４】
次に、椅子１０を使用する状態について説明する。椅子１０を床面等の平坦な場所で使用するとき、図３に示すように、踏板部６０を下側に回動して使用状態にする。これにより、踏板部６０は床面Ｆと平行、即ち水平状態となる。このとき、踏板用キャスター装置６５が床面Ｆに設置して、踏板６４は安定した状態となり、たとえ着座者が踏板部６０上で立ち上がっても安定状態を保つ。
【００４５】
この状態で、被介助者が椅子１０に着座すると、着座者は殿部を座面２０に乗せて背板３０に背中を預け、踏板部６０に両足を乗せることができる。着座状態で椅子１０が床面Ｆ上を移動するときには、介助者はフレームバー４１を把持して、小さな力で椅子１０を移動することができる。
【００４６】
本実施形態に係る椅子１０に被介護者を着座した状態で段差や階段を移動するには、昇降装置１００を使用する。昇降装置１００に着座状態の椅子１０を載置し、階段等を昇降する。
【００４７】
図５は同椅子を昇降装置に配置した状態を示す斜視図である。昇降装置１００は、ハンドル部１１０と、踏板載置部１２０と、昇降駆動部１３０と、段差乗越機構１４０とを備える。
【００４８】
ハンドル部１１０は、水平バー１１１、把持部１１２、１１２、ヘッドレスト１１３、操作スイッチ部１１４、案内部材１１５、鉤状部材１１６、安全ベルト１１７等を備える。介護者が把持部１１２、１１２を把持し、操作スイッチ部１１４を操作して昇降装置１００を駆動する。
【００４９】
椅子１０の座面２０に配置されたガイドローラ７０は、椅子１０を昇降装置１００に接地したとき、案内部材１１５に案内されて保持され、椅子１０を昇降装置１００に安定して配置することができる。
【００５０】
踏板載置部１２０は、踏板載置部材１２１、１２１、把持バー１２２、ブレーズ１２３等を備える。踏板載置部材１２１、１２１は伸縮可能であり、椅子１０を昇降装置１００に設置したとき、踏板部６０が載置される。介護者がハンドル部１１０を保持した状態で、他の介護者が把持バー１２２を握って昇降装置１００の姿勢の調整を補助できる。
【００５１】
昇降駆動部１３０は、駆動輪１３１、段差検知部１３２等を備える。昇降駆動部１３０には、椅子１０の座面２０が載置される。昇降駆動部１３０は、介助者の介助により、平地を移動するとき駆動輪１３１を駆動して昇降装置１００を移動させる。また段差を昇降するとき、介助者の介助により段差乗越機構１４０を駆動制御して段差を昇降する。
【００５２】
段差乗越機構１４０としては、例えば、図５に示すように、両端に接地ローラ１４２、１４２を形成した回転アーム１４１を回転させて段差を昇降するものを使用することができる。段差乗越機構１４０として他の構成、例えばベルト式、自動走行式その他のものを採用したものを使用できる。
【００５３】
本実施形態に係る昇降装置１００に椅子１０を載置するに際しては、椅子１０の座面２０が昇降駆動部１３０に、椅子１０の踏板部６０が踏板載置部１２０に載置される。そして、椅子１０のフレームバー４１は、後述する昇降装置１００の鉤状部材１１６で引っかけられて保持されると共に他の部分でねじ等の固定手段により固定される。
【００５４】
また、椅子１０に被介護者が着座した状態で、椅子１０には空間部８０、８０が存在するので安全ベルト１１７を装着する操作を容易に行うことができる。
【産業上の利用可能性】
【００５５】
本考案に係る椅子は、室内外における平坦な床面における通常の使用を良好に行え、更に、段差や階段で使用する昇降装置への設置が容易かつ確実に行え、介護等において有用であり、産業上の利用可能性がある。
【符号の説明】
【００５６】
１０：椅子
２０：座面
３０：背板
４０：前側フレーム
４１：フレームバー
４２：背板保持部
４３：腕受部
４４：湾曲部
４５：垂下部
４６：接合湾曲部
４７：前側脚部
４８：前側脚下端部
４９：前側キャスター装置
５０：後側フレーム
５１：水平部
５２：座面保持部
５３：接合湾曲部
５４：後側脚部
５５：後側脚下端部
５６：後側キャスター装置
６０：踏板部
６１：ヒンジ部
６２：踏板保持部
６３：操作ハンドル
６４：踏板
６５：踏板用キャスター装置
６６：ステー部材
７０：ガイドローラ
７１：ローラ
７２：ローラ取付部材
８０：空間部
９０：補強部材
９１：横部材
９２：Ｕ字部材
１００：昇降装置
１１０：ハンドル部
１１１：水平バー
１１２：把持部
１１３：ヘッドレスト
１１４：操作スイッチ部
１１５：案内部材
１１６：鉤状部材
１１７：安全ベルト
１２０：踏板載置部
１２１：踏板載置部材
１２２：把持バー
１２３：ブレーズ
１３０：昇降駆動部
１３１：駆動輪
１３２：段差検知部
１４０：段差乗越機構
１４１：回転アーム
１４２：接地ローラ
１４３：接地ローラ
Ｆ：床面
【図１】
0003231125.tif 000003
【図２】
0003231125.tif 000004
【図３】
0003231125.tif 000005
【図４】
0003231125.tif 000006
【図５】
0003231125.tif 000007
【手続補正書】
【提出日】令和3年1月5日(2021.1.5)
【手続補正１】
【補正対象書類名】実用新案登録請求の範囲
【補正対象項目名】請求項２
【補正方法】変更
【補正の内容】
【請求項２】
前記後側フレームの前記座面が設置される箇所は前側に向けて湾曲形成されると共に、前記前側フレームの前記座面の上側に位置する箇所は前側に向けて湾曲形成され、前記前側フレーム部は、腕受部と、前記腕受部の前端部に連設された湾曲部と、前記湾曲部から下方へ連設された垂下部とを有し、前記腕受部、前記湾曲部及び前記垂下部と前記座面との間には、前記昇降装置に配置された安全ベルトを装着操作するための空間部が形成されていることを特徴とする請求項１に記載の椅子。